(57)【要約】【課題】  多数個のキーを掛けることができるキーホルダーを正円状の他に使用者の希望する多様な任意の形を持つように製作し使用者が自分の趣向に合う任意の形を取り揃えたキーホルダーを自由に選択して使うようにすると共に単純なキーホルダーから脱してアクセサリーの機能まで追い求めるキーホルダーを提供する。【解決手段】  任意の長さと幅とを有する基準片を取り揃え、前記基準片の両側端から同様の任意の模様を有するように延長させた一組の第１、２の掛け要素を取り揃えた非加工物と、前記非加工物の基準片を互いに反対方向に拗ってくれることによって第１、２掛け要素の一部分が重なる状態と形成されるキーホルダーを提供する。【選択図】図２
2006521908.tif 000002
【特許請求の範囲】
【請求項１】
任意長さと幅を有する基準片を取り揃え、前記基準片の両側端から等しい任意模様を有するように延長させた一組の第１、２掛け要素を取り揃えた非加工物と、前記非加工物の基準片を互いに反対方向に拗ってくれることによって一組の第１、２掛け要素の一部分が重なる状態に形成されることを特徴とするキーホルダー。
【請求項２】
前記キーホルダーは３角、４角または５角などの多様な多角の模様からなることを特徴とする請求項１記載のキーホルダー。
【請求項３】
前記キーホルダーはハートまたは蝶等のような多様な曲線型の模様からなることを特徴とする請求項１記載のキーホルダー。
【請求項４】
前記基準片及び第１、２掛け要素に飾りに繋がれている掛けリングなどがさらにかかるようにする掛け孔が含むことを特徴とする請求項１記載のキーホルダー。
【請求項５】
前記基準片及び第１、２掛け要素に宝石等のような飾りがさらに含むことを特徴とする請求項１記載のキーホルダー。
【発明の詳細な説明】
【技術分野】
【０００１】
本発明はキーホルダーに関するもので、特に鍵をかけることができるキーホルダーの形象を使用者が希望する任意の形象模様を有するようにしたキーホルダーに関するものである。
【背景技術】
【０００２】
一般的にキーホルダーは、多様な色々種類の鍵をかけていろいろな鍵を便利に携帯及び保管するようになっている。人々は普遍的に少なくとも２、３個以上の鍵を携帯している。つまり、玄関の鍵、自動車のキー、事務所の鍵、個人ラッカーの鍵等、多様な鍵を携帯または保管しているが、このような鍵は個別的に製作して使用しているのでこのようないろいろな鍵を便利に携帯及び保管するために多数の鍵を一つで縛ってくれることができるようキーホルダーに鍵をかけて便利に携帯及び保管している。
【０００３】
このような従来のキーホルダー１は、図１のごとく自体のテンション力を持っている原型の鉄心１ａを使って両端部分が互いに重なる状態にする単純な正円状として巻いた状態で使われている実情である。
【０００４】
前記のような従来の正円状を持っているキーホルダーは自体のテンション力を持っている原型の鉄心を一定の大きさを持つようにし、両側端部分が互いに重なる状態で巻いており、キーホルダーの製作が容易で短い時間以内に多量を生産することができるので、生産原価を低めることはできるがキーホルダーの形象が画一的な正円形象のみを持っており製品の多様化を図ることができなく、特に最近は消費者が単純なキーホルダーの機能のみを追い求めなくアクセサリ機能を兼ねるというキーホルダーに対するニーズが高くなっている。
【０００５】
しかし、現在使われているキーホルダーは自体のテンション力を持っている原型の鉄心を一定の大きさになるよう巻いているので画一的な正円形象の他には製作しておらず、消費者のニーズを満たすことができなく多くの呼応を得ることができないという実情である。
【発明の開示】
【発明が解決しようとする課題】
【０００６】
したがって、本発明は多数ヶの鍵をかけることができるキーホルダーを正円形象の外に使用者が希望する多様な任意の形象模様を持つように製作し、使用者が自分の趣向に合う任意の形象模様を取り揃えたキーホルダーを自由に選択して使うようにするとともに、単純なキーホルダーから脱してアクセサリの機能まで追い求めることが目的である。
【課題を解決するための手段】
【０００７】
このような目的を実現するために本発明は、任意長さと幅を持つ基準片を取り揃え、前記基準片の両側端から等しい任意模様を持つよう延長させた一組の第１、２掛け要素を取り揃えた非加工物と、前記非加工物の基準片を互いに反対方向に拗ってくれることで一組の第１、２掛け要素一部分が重なる状態に形成されることを特徴とする。
【０００８】
また、前記キーホルダーは ４角、３角、または
５角などの多様な多角形で成り立ったことを特徴とする。
【０００９】
また、前記キーホルダーは多角形外にハート、蝶などのように対称となる多様な曲線の形態からなることを特徴とする。
【００１０】
また、前記基準片及び第１、２掛け要素に飾りに繋がれている掛けリングなどがさらにかかるようにする掛け孔が含むことを特徴とする。
また、前記基準片及び第１、２掛け要素に宝石等のような飾りがさらに含むことを特徴とする。
【発明の効果】
【００１１】
以上のごとく本発明は、片状の基準片両側端に一体として互いに対応される模様を持つ一組の第１、２掛け要素を有するようにした状態で前記基準片の中間地点を基点として両側を反対方向に拗ってくれれば中央のねじり要素によって両側に延長された一組第１、２掛け要素が緊密に密着される状態で重なる状態のキーホルダーを製作することができ、画一的な正円形象のキーホルダーだけではなく消費者が希望する多様な形つまり、三角や四角等のような多角の模様またはハート、蝶等のような曲線型からなる多様な昆虫模様を取り揃えた状態で製作することができるので消費者のニーズに対応することは勿論、キーホルダーの単純な機能のほかに多様な飾り具とも使うことができるという効果がある。
【発明を実施するための最良の形態】
【００１２】
以下、添付した図面に依拠して本発明実施例の構成及び作り方を具体的に説明する。図２は本発明によって製作されたキーホルダーの構成を示す斜視図で、キーホルダー１０は任意長さと幅を持つ基準片１１を取り揃え、前記基準片の両側端から等しい任意模様を持つように延長させた一組の第１、２掛け要素１２、１２ａを取り揃えた非加工物２１を形成し、前記非加工物２１の基準片１１を互いに反対方向に拗ってくれることによって、発生されるねじり要素１３により一組の第１、２掛け要素１２、１２ａの一部分が重なる状態を示している。
【００１３】
前記のようなキーホルダー１０は、基準片１１の両側端部から延長された一組の第１、２掛け要素１２、１２ａがねじり要素１３の拗じれる角度(約９０゜)によって第１、２掛け要素が互いに重なる状態を保持するが、この際、前記基準片１１のねじり角度を９０゜が超える角度を持つようにする場合、前記ねじり要素１３のねじり角によって互いに重なる第１、２掛け要素１２、１２ａの一面が互いに緊密な密着力を保持することによって、キーホルダー１０にかかっている鍵が任意に抜ける事がなくなる。
【００１４】
前記のような構成を有するキーホルダー１０の作り方を工程別で説明すると次の通りである。図３ａのごとくキーホルダー１０を製作するための所定の厚さを有する板体２０で製作したいキーホルダー、つまり、基準片１１の両側から夫々延長された任意模様を有する第１、２掛け要素１２、１２ａが揃う非加工物２１を切断してくれる。
【００１５】
前記切断はプレスによる切断やその他さまざまの方法によって切断して図３ｂのごとく夫々の非加工物２１が完成される。前記のごとく任意模様に裁断された非加工物２１の基準片１１の両側端部を互いに反対方向に拗ってくれれば図３ｃのごとく、前記基準片１１の中間地点を基点として拗じれながら形成されるねじり要素１３を基点として前記基準片１１の両側端に延長されている一組の第１、２掛け要素１２、１２ａが互いに重なるようになる。
【００１６】
前記のように一組の第１、２掛け要素１２、１２ａが重なった状態でさらに第１、第１、２掛け要素１１の両側端を所定角度を持つように拗ってくれれば基準片１１の拗じれる角度によって互いに重なった一組の第１、２掛け要素１２、１２ａが自体のテンション力によって緊密に密着された状態を保持するようになることによって、一組の第１，２掛け要素１２、１２ａを外側に開けて鍵を掛ける場合にも自体のテンション力とねじり要素１３のねじり力によって第１、２掛け要素が緊密に密着される状態を保持することができ、キーホルダー１０にかかった鍵が使用中で任意に抜けて紛失されてしまうという恐れがなくなる。
【００１７】
また, キーホルダー１０にかかられた鍵が基準片１１のねじり要素１３に位置すると一側方向に拗くれた前記ねじり要素の傾斜溝に合わせ鍵が斜めになる状態を保持するようになる。本発明のキーホルダー１０は便宜上、５角を基本形象として説明したもので、前記の５角形象の他に図４及び図５のごとく四角または三角模様でも製作することができる。
【００１８】
また、前記のように多角形のほかに図６のごとく曲線型の模様を有するハートの形象やその他蝶、または花模様のような対称となるいかなる曲線の形態を有する模様も製作することができ、個別的な趣向で互いに違う色々な分類の消費者のニーズに対応ことができる。
【００１９】
本発明の他の実施例としては図７のごとくキーホルダー１０の基準片１１または第１、２掛け要素１２、１２ａに掛け孔１４を取り揃え各種の飾りをかけることができる。しかも図８のごとく基準片１１と第１、２掛け要素１２、１２ａに宝石等のような多様な模様を有する飾り具３０を打ち込んだ状態で使うこともできる。
【００２０】
つまり、キーホルダー１０である図７のごとく基準片１１と第１、２掛け要素１２、１２ａに揃った掛け孔１４にキャラクターまたは写真等の多様な飾りに繋がれている連結紐及び連結リングをかけて使うこともでき、また図８のごとく第１、２掛け要素１２、１２ａに宝石等のような多様な模様を持っている飾り具３０などを打ち込んだ状態で使うことができる。
【図面の簡単な説明】
【００２１】
【図１】従来キーホルダーの構成を示す正面図である。
【図２】本発明によって製作されたキーホルダーの斜視図である。
【図３ａ】本発明の製作過程を示すもので、キーホルダーを製作するための任意形象模様を有する非加工物の裁断状態図である。
【図３ｂ】本発明の製作過程を示すもので、裁断された非加工物の前面図である。
【図３ｃ】本発明の製作過程を示すもので、第１第１、２掛け要素を拗った状態図である。
【図４】本発明によって製作された他の形のキーホルダーである。
【図５】本発明によって製作された他の形のキーホルダーである。
【図６】本発明によって製作された他の形のキーホルダーである。
【図７】本発明の他の第一実施例の構成を示す前面図である。
【図８】本発明の他の第二実施例の構成を示す前面図である。
【符号の説明】
【００２２】
１０…キーホルダー
１１…    基準片
１２、１２ａ…  第１、２掛け要素
１３…ねじり要素
１４…掛け孔
３０…飾り具
【図１】
2006521908.tif 000003
【図２】
2006521908.tif 000004
【図３ａ】
2006521908.tif 000005
【図３ｂ】
2006521908.tif 000006
【図３ｃ】
2006521908.tif 000007
【図４】
2006521908.tif 000008
【図５】
2006521908.tif 000009
【図６】
2006521908.tif 000010
【図７】
2006521908.tif 000011
【図８】
2006521908.tif 000012
【国際調査報告】
2006521908.tif 000013
2006521908.tif 000014